(57)【要約】【課題】  簡易な構造で、肩痛、腰痛、筋肉痛等、慢性・急性を問わず患部の皮膚に貼付けることにより、人体の一部を外的に癒す皮膚貼付用癒し具を提供する。【解決手段】  粘着シート１０の片面１０ａに設けられた粘着層１１に、複数の硬質な凸部１２が所定間隔に配列されて突設されている粘着シート体１３と、前記各凸部１２の位置に対応する位置に小孔１４が設けられ、前記各小孔１４から前記各凸部１２が突出して前記粘着シート体１３の粘着層１１に剥離可能に固定されている剥離シート１５とを備えて皮膚貼付用癒し具１を構成した。【選択図】  図１
2007037902.tif 000002
【特許請求の範囲】
【請求項１】
粘着シートの片面に設けられた粘着層に、複数の硬質な凸部が所定間隔に配列されて突設されている粘着シート体と、前記各凸部の位置に対応する位置に小孔が設けられ、前記各小孔から前記各凸部が突出して前記粘着シート体の粘着層に剥離可能に固定されている剥離シートとを備えていることを特徴とする皮膚貼付用癒し具。
【請求項２】
前記凸部は金属粒体であって、前記粘着シートの粘着層に行方向と列方向に所定間隔で配列されて突設されている請求項１に記載の皮膚貼付用癒し具。
【請求項３】
前記粘着シートは、布または可撓性を有する樹脂のシートからなり、１辺が８〜１０ｃｍ四方の大きさの正方形または長方形である請求項２に記載の皮膚貼付用癒し具。
【請求項４】
前記各金属粒体は、前記粘着シートの粘着層に３〜１２ｍｍ間隔で配列されて突設されている請求項２または３に記載の皮膚貼付用癒し具。
【請求項５】
前記金属粒体は、粒径が０．５〜１．８ｍｍである請求項２〜４のいずれか１項に記載の皮膚貼付用癒し具。
【発明の詳細な説明】
【技術分野】
【０００１】
本発明は、肩痛、腰痛、筋肉痛等の患部の皮膚に貼付ることにより人体の一部を外的に癒す皮膚貼付用癒し具に関するものである。本明細書において、金属粒体とは、鉄、銅、ニッケル、クロム、金、銀、鉛、錫、アルミ、ステンレス等の一般金属のほか、金属を含有する鉱石であって、粒径が０．５〜１．８ｍｍの粒体をいう。
【背景技術】
【０００２】
従来から肩こりなど人体の一部を外的に癒すための家庭用の簡易な皮膚貼付用癒し具は各種開発されており、例えば純金等の粉体から成る金属固形材と石英成分７５％以上含有する鉱石材とから成る重合粒状物を前者を外側に後者を内側にして粘着シートの中心部に固着して成る貼付治療具が知られている。
【特許文献１】特開２００２−２０９９７３号
【発明の開示】
【発明が解決しようとする課題】
【０００３】
上記従来の貼付治療具は、人体の経絡のツボに貼付すると、シートの中心部にある重合粒状物の鉱石材が発生する遠赤外線の熱作用とマイナスイオンのエネルギーを伝導性の良い純金等の金属固形材を通して人体のツボに直接伝達することを目的とするものである。しかし、シートの中心部にある重合粒状物の鉱石材が発生する遠赤外線の熱作用の強さとマイナスイオンのエネルギーの強さによって効果に差異がでてしまうし、遠赤外線を発生する重合粒状物の鉱石材や、純金等の金属固形材はコストがかかるという課題がある。
【０００４】
本発明は、上記課題を解決するために提案されたもので、簡易な構造で、肩痛、腰痛、筋肉痛等、慢性・急性を問わず患部の皮膚に貼付ることにより、人体の一部を外的に癒す皮膚貼付用癒し具を提供するものである。
【課題を解決するための手段】
【０００５】
上記課題を解決するために請求項１記載の発明は、粘着シートの片面に設けられた粘着層に、複数の硬質な凸部が所定間隔に配列されて突設されている粘着シート体と、前記各凸部の位置に対応する位置に小孔が設けられ、前記各小孔から前記各凸部が突出して前記粘着シート体の粘着層に剥離可能に固定されている剥離シートとを備えていることを特徴とする皮膚貼付用癒し具である。
【０００６】
また、請求項２記載の発明は、前記凸部は金属粒体であって、前記粘着シートの粘着層に行方向と列方向に所定間隔で配列されて突設されている請求項１に記載の皮膚貼付用癒し具である。
【０００７】
また、請求項３記載の発明は、前記粘着シートは、布または可撓性を有する樹脂のシートからなり、１辺が８〜１０ｃｍ四方の大きさの正方形または長方形である請求項２に記載の皮膚貼付用癒し具である。
【０００８】
また、請求項４記載の発明は、前記各金属粒体は、前記粘着シートの粘着層に３〜１２ｍｍ間隔で配列されて突設されている請求項２または３に記載の皮膚貼付用癒し具である。
【０００９】
また、請求項５記載の発明は、前記金属粒体は、粒径が０．５〜１．８ｍｍである請求項２〜４のいずれか１項に記載の皮膚貼付用癒し具である。
【発明の効果】
【００１０】
本発明の皮膚貼付用癒し具によれば、簡易な構造で、肩痛、腰痛、筋肉痛等、慢性・急性を問わず患部の皮膚に貼付ることにより人体の一部を外的に癒すことができる。
【発明を実施するための最良の形態】
【００１１】
以下、図面に基づいて本発明の実施例を説明する。
【実施例】
【００１２】
図１は本発明に係る皮膚貼付用癒し具の平面図、図２は図１のＡ−Ａ線断面図である。
【００１３】
図１において、皮膚貼付用癒し具１は、粘着シート１０の片面に設けられた粘着層１１に複数の硬質な凸部１２が所定間隔に配列されて突設されている粘着シート体１３と、各凸部１２の位置に対応する位置に小孔１４が設けられ、各小孔１４から前記各凸部１２が突出して粘着シート体１３の粘着１１層に剥離可能に固定されている剥離シート１５とを備えて構成されている。
【００１４】
粘着シート１０は、布または可撓性を有する樹脂のシートからなるものであり、その片面１０ａには、粘着材が塗布された粘着層１１が形成されている。そして、硬質な凸部１２は金属粒体１２ａであって、粘着シート１０の粘着層１１に行方向と列方向に所定間隔で配列されて突設されて粘着シート体１３が構成されている。金属粒体１２ａは、球状のものが望ましいが、半球状、円柱状、多角面体状等、他の形状のものであってもよい。
【００１５】
また、剥離シート１５は、紙または可撓性を有する樹脂のシートからなるものであり、粘着シート１０の粘着層１１における複数の金属粒体１２ａの配列位置に対応する各位置に複数の小孔１４が設けられている。そして、剥離シート１５は、複数の小孔１４から粘着シート１０の複数の金属粒体１２ａが突出するように位置合わせして、粘着シート１０の粘着層１１に粘着されて、粘着シート１０に剥離可能に取り付けられている。
【００１６】
本実施例の粘着シート１０は、１辺が８〜１０ｃｍ四方の大きさの正方形、又は長方形のものを採用した。また、複数の金属粒体１２ａは、粒径が０．５〜１．８ｍｍのものを採用した。そして、粘着シート１０の粘着層１１上に、複数の金属粒体１２ａが行方向と列方向に３〜１２ｍｍ間隔で規則正しく配列されるように配置して突設した。なお、粘着シート１０に樹脂のシートを採用する場合には、樹脂のシートに複数の金属粒体１２ａを成形または接着により固定しておき、複数の金属粒体１２ａが固定されている樹脂のシートに粘着材を塗布して粘着層１１を形成してもよい。
【００１７】
剥離シート１５は、粘着シート１０の粘着層１１に固定されている複数の金属粒体１２ａの配列位置に対応する位置に複数の小孔１４が設けられている。そして、剥離シート１５は、粘着シート１０の粘着層１１に剥離可能に粘着されている。この状態では、剥離シート１５の複数の小孔１４のそれぞれから各金属粒体１２ａが突出している。
【００１８】
次に、皮膚貼付用癒し具１を肩痛、腰痛、筋肉痛等の患部の皮膚に貼り付けた場合についての作用について説明する。人体自体は電気の極超微少粒の凝集体であり、人体の各部は、一定の電位を有しているものであり、肩痛、腰痛、筋肉痛等の患部においては、異常電位が生じ、内蔵疾患における痛感も皮膚表面に異常電位が表出するので、この異常電位を調整することにより、その疾患を治癒することができることが知られている。
【００１９】
本発明の皮膚貼付用癒し具１の剥離シート１５を剥離して、粘着シート体１３を患部の皮膚に貼り付けると、複数の金属粒体１２ａが皮膚に当接して患部を部分的に押圧する。皮膚貼付用癒し具１の金属粒体１２ａは、皮膚に当接すると皮膚の表面の汗を吸水する。この場合、汗は電解液であるから、金属粒体１２ａが皮膚に当接して、患部の皮膚表面を適度に押圧することで皮膚反応面を刺激し、金属粒体１２ａが指圧の代用として機能し、同時に患部や皮膚表面の異常電位を調整する作用が生じて、人体の生体電位を整え、患部を外的に癒すことができる。
【００２０】
なお、本発明の皮膚貼付用癒し具１は、肩痛、腰痛、筋肉痛等の患部が急性症・慢性症のいずれの場合にも、適用できるが、特に、急性の場合には、皮膚貼付用癒し具１を患部の皮膚に貼付けた上に冷湿布、または、患部を冷却するものを置くことにより、患部を冷却しながら外的に癒すことができる。
【００２１】
本発明の皮膚貼付用癒し具１は、小型、軽量であるため、スポーツ、旅行に参加するときには、携帯に便利であり、家庭では、救急箱に入れて保管するとよい。
【００２２】
本発明の皮膚貼付用癒し具は、患部の皮膚に貼付けると金属粒体が皮膚に当接して、患部の皮膚表面を適度に押圧することで皮膚反応面を刺激し、指圧の代用として機能し、同時に患部や皮膚表面の異常電位を調整する作用により人体の生体電位を整えて患部を外的に癒すことができるため、慢性・急性を問わず、肩痛、腰痛、筋肉痛等の治療に有効である。
【００２３】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００２４】
【図１】本発明に係る皮膚貼付用癒し具の平面図である。
【図２】図１のＡ−Ａ線断面図である。
【符号の説明】
【００２５】
１  皮膚貼付用癒し具
１０  粘着シート
１０ａ  粘着シートの片面
１１  粘着層
１２  凸部
１２ａ  金属粒体
１３  粘着シート体
１４  小孔
１５  剥離シート
【図１】
2007037902.tif 000003
【図２】
2007037902.tif 000004